(57)【要約】【課題】係合子としてころを用いたロック式の逆入力防止クラッチにおいて、ころを押圧している弾性部材の固定部材との接触を防止する。【解決手段】出力側部材の一部である内輪３のカム面３ｂと固定部材の一部である外輪５の内周円筒面との間に形成される楔形空間１２に、一対のころ９に挟まれる状態で組み込まれて、両端部で各ころ９を楔形空間１２の狭小部へ押し込む弾性部材として板ばね１０を用い、この板ばね１０の両端部の先端側部分を伸縮方向の外側へ折り曲げて、ころ９のカム面３ｂに臨む側の半円筒面と係合する内側係合部１０ａを形成し、板ばね１０のクラッチ径方向の外側への移動を規制することにより、入力側から出力側への回転伝達時に板ばね１０に遠心力が作用しても、板ばね１０が外輪５の内周円筒面に接触しないようにしたのである。【選択図】図４
2017141859.tif 000002
【特許請求の範囲】
【請求項１】
同一軸心のまわりに回転する状態で配されている入力側部材および出力側部材と、前記出力側部材の径方向外側に配されている固定部材と、前記出力側部材に加えられる逆入力トルクに対して出力側部材と固定部材とをロックするロック手段と、前記入力側部材に加えられる入力トルクに対して前記ロック手段によるロック状態を解除するロック解除手段と、前記ロック手段によるロック状態が解除された状態のときに、前記入力側部材に加えられる入力トルクを前記出力側部材に伝達するトルク伝達手段とを備え、
前記ロック手段は、前記固定部材の内周に円筒面が設けられ、前記出力側部材の外周に複数のカム面が設けられて、前記固定部材の内周円筒面と出力側部材の各カム面との間に周方向両側で次第に狭小となる楔形空間が形成されており、これらの各楔形空間に一対のころとその一対のころに挟まれて各ころを楔形空間の狭小部へ押し込む弾性部材とが組み込まれているものである逆入力防止クラッチにおいて、
前記弾性部材が、その弾性部材を挟む前記一対のころの前記カム面に臨む側の半円筒面と係合する内側係合部を有し、径方向外側への移動を規制されていることを特徴とする逆入力防止クラッチ。
【請求項２】
前記弾性部材が、その弾性部材を挟む前記一対のころの前記カム面に臨む側と反対側の半円筒面と係合する外側係合部を有し、径方向内側への移動を規制されていることを特徴とする請求項１に記載の逆入力防止クラッチ。
【請求項３】
前記弾性部材が、圧縮状態で前記一対のころの間に組み込まれて両端部で各ころを押圧する板ばねであり、その両端部に前記内側係合部および外側係合部が形成されていることを特徴とする請求項２に記載の逆入力防止クラッチ。
【請求項４】
前記弾性部材が、圧縮状態で前記一対のころの間に組み込まれて両端部で各ころを押圧するコイルばねであり、その両端部に前記内側係合部および外側係合部が形成されていることを特徴とする請求項２に記載の逆入力防止クラッチ。
【発明の詳細な説明】
【技術分野】
【０００１】
本発明は、入力トルクが加えられたときは入力側部材の回転を出力側部材に伝達し、逆入力トルクに対しては入力側部材が回転しないようにする逆入力防止クラッチに関する。
【背景技術】
【０００２】
逆入力防止クラッチは、入力側部材に入力トルクが加えられたときは、その回転を出力側部材に伝達し、出力側部材に逆入力トルクが加えられたときは、入力側部材が回転しないようにするものである。この逆入力防止クラッチには、逆入力トルクに対して出力側部材をロックさせる方式（以下、この方式を「ロック式」と称する。）のものがある（例えば、特許文献１参照。）。
【０００３】
上記特許文献１に記載されたロック式の逆入力防止クラッチは、同一軸心のまわりに回転する入力側部材と出力側部材との間に、入力側部材の回転を僅かな角度遅れをもって出力側部材に伝達するトルク伝達手段を設け、内周側に円筒面を有する固定部材を出力側部材の径方向外側に配し、出力側部材の外周面に複数のカム面を設けて、固定部材の内周円筒面と出力側部材の各カム面との間に周方向で次第に狭小となる楔形空間を形成し、これらの各楔形空間に係合子となる一対のころとそのころを楔形空間の狭小部へ押し込む弾性部材（コイルばねまたは板ばね）を組み込むとともに、各楔形空間の周方向両側（ころを挟んで弾性部材と周方向で対向する位置）に入力側部材の柱部を挿入したものである。
【０００４】
この逆入力防止クラッチでは、各ころが弾性部材の弾力で楔形空間の狭小部に押し込まれているので、出力側部材に逆入力トルクが加えられても、回転方向後側のころが固定部材および出力側部材に係合することにより出力側部材がロックされ、入力側部材へ回転伝達しない。
【０００５】
一方、入力側部材に入力トルクが加えられたときは、入力側部材の柱部が回転方向後側のころを弾性部材の弾力に抗して楔形空間の広大部へ押し出すことにより、そのころと固定部材および出力側部材との係合が解除されて、出力側部材がロック状態から解放された後、トルク伝達手段によって入力側部材から出力側部材に回転が伝達されるようになる（このとき、回転方向後側のころは楔形空間の広大部に相対移動するので、固定部材および出力側部材と係合することはない）。
【先行技術文献】
【特許文献】
【０００６】
【特許文献１】特開２００５−１８８５５８号公報
【発明の概要】
【発明が解決しようとする課題】
【０００７】
上記のように係合子としてころを用いたロック式の逆入力防止クラッチでは、入力側部材から出力側部材に回転伝達を行う際に、出力側部材の回転にともなって、出力側部材のカム面の径方向外側に配されているころと弾性部材も回転する。このため、出力側部材に伝達される回転が高速になると、出力側部材とともに回転するころや弾性部材に作用する遠心力が大きくなり、弾性部材がクラッチの径方向外側に移動して固定部材の内周円筒面に接触してしまうことがある。
【０００８】
そして、弾性部材が固定部材の内周円筒面に接触したまま回転し続けると、弾性部材の固定部材との接触部が摩耗し、弾性部材の折損等の不具合が生じやすくなる。また、弾性部材が折損すると、ころが楔形空間の狭小部へ押し込まれなくなるので、逆入力トルクを加えられたときに、出力側部材が固定部材とロックされず、出力側部材から入力側部材へ回転が伝達されてしまうという致命的な欠陥に至ることが懸念される。
【０００９】
そこで、本発明は、係合子としてころを用いたロック式の逆入力防止クラッチにおいて、ころを押圧している弾性部材の固定部材との接触を防止することを課題とする。
【課題を解決するための手段】
【００１０】
上記の課題を解決するため、本発明は、同一軸心のまわりに回転する状態で配されている入力側部材および出力側部材と、前記出力側部材の径方向外側に配されている固定部材と、前記出力側部材に加えられる逆入力トルクに対して出力側部材と固定部材とをロックするロック手段と、前記入力側部材に加えられる入力トルクに対して前記ロック手段によるロック状態を解除するロック解除手段と、前記ロック手段によるロック状態が解除された状態のときに、前記入力側部材に加えられる入力トルクを前記出力側部材に伝達するトルク伝達手段とを備え、前記ロック手段は、前記固定部材の内周に円筒面が設けられ、前記出力側部材の外周に複数のカム面が設けられて、前記固定部材の内周円筒面と出力側部材の各カム面との間に周方向両側で次第に狭小となる楔形空間が形成されており、これらの各楔形空間に一対のころとその一対のころに挟まれて各ころを楔形空間の狭小部へ押し込む弾性部材とが組み込まれているものである逆入力防止クラッチにおいて、前記弾性部材が、その弾性部材を挟む前記一対のころの前記カム面に臨む側の半円筒面と係合する内側係合部を有し、径方向外側への移動を規制されている構成を採用した。
【００１１】
上記の構成によれば、入力トルクに対して入力側部材から出力側部材に回転伝達を行う際に、出力側部材の回転にともなって弾性部材に作用する遠心力が大きくなっても、弾性部材がその内側係合部でころと係合して、クラッチの径方向外側への移動を規制されるので、弾性部材の固定部材との接触およびそれによる弾性部材の折損等の不具合を防止することができる。
【００１２】
さらに、前記弾性部材が、その弾性部材を挟む前記一対のころの前記カム面に臨む側と反対側の半円筒面と係合する外側係合部を有し、径方向内側への移動を規制されている構成も採用すれば、弾性部材の出力側部材との接触も防止できるので、出力側部材が回転していないときに、弾性部材がロック状態とロック解除状態との間で弾性変形しても、出力側部材に対して摺動して損傷することがなくなる。
【００１３】
具体的には、前記弾性部材は、圧縮状態で前記一対のころの間に組み込まれて両端部で各ころを押圧する板ばねである場合、その両端部に前記内側係合部および外側係合部が形成されているものとすることができる。
【００１４】
また、前記弾性部材が、圧縮状態で前記一対のころの間に組み込まれて両端部で各ころを押圧するコイルばねである場合も、その両端部に前記内側係合部および外側係合部が形成されているものとすることができる。
【発明の効果】
【００１５】
本発明の逆入力防止クラッチは、上述したように、入力側部材から出力側部材に回転伝達を行う際に、弾性部材がその内側係合部でころと係合してクラッチの径方向外側への移動を規制され、固定部材と接触しないようにしたものであるから、弾性部材の折損等の不具合が生じにくく、長期間安定して使用することができる。
【図面の簡単な説明】
【００１６】
【図１】実施形態の逆入力防止クラッチの縦断正面図
【図２】図１のII−II線に沿った断面図
【図３】図２の板ばねの外観斜視図
【図４】ａ、ｂは、それぞれ図２に対応してクラッチ動作を説明する断面図
【図５】図２に対応して板ばね配置の変形例を示す断面図
【図６】ａは図２に対応して板ばねをコイルばねに代えた変形例を示す断面図、ｂはａのコイルばねの外観斜視図
【発明を実施するための形態】
【００１７】
以下、図面に基づき、本発明の実施形態を説明する。この逆入力防止クラッチは、図１および図２に示すように、入力軸（入力側部材）１と、出力軸２と内輪３が一体形成された出力側部材４と、内輪３の径方向外側に配される外輪５が一体形成された二段円筒状のハウジング（固定部材）６と、ハウジング６の一端に取り付けられる押え蓋７と、内輪３と外輪５との間に挿入される複数の柱部８ａを有する保持器８と、内輪３と外輪５との間に組み込まれる係合子としてのころ９および板ばね（弾性部材）１０と、ハウジング６他端の小径部内周に嵌め込まれて出力軸２を回転自在に支持する軸受１１とで構成されている。
【００１８】
前記ハウジング６は、一端のフランジの外周縁に複数の切欠き６ａが形成されており、これらの切欠き６ａに押え蓋７の外周縁に形成された爪７ａを嵌め込んで折り曲げることにより、押え蓋７と一体化されている。そして、押え蓋７の外周から張り出す３つの舌状の張出部には取付孔７ｂが設けられており、これらの取付孔７ｂで押え蓋７とハウジング６が一体に図示省略した外部部材に固定されている。
【００１９】
前記入力軸１は、外周に二面幅（軸心と平行でかつ互いに平行な２つの係合面）が形成された係合部１ａと、係合部１ａの端面から突出する小径円筒部１ｂとを有し、その係合部１ａの先端側部分が、前記内輪３の中央に設けられた係合穴３ａに挿入され、小径円筒部１ｂが内輪３の係合穴３ａの底から出力軸２の円形穴２ａに嵌め込まれて、出力側部材４（出力軸２および内輪３）と同一軸心のまわりに回転するようになっている。ここで、内輪３の係合穴３ａは、入力軸１を挿入したときに僅かな回転方向の隙間が生じるように形成され、これにより、入力軸１に加えられる入力トルクを僅かな角度遅れをもって出力側部材４に伝達するトルク伝達手段が構成されている。
【００２０】
また、入力軸１の係合部１ａの軸方向中央側部分には、保持器８の円筒部８ｂが隙間なく嵌め込まれて、入力軸１と保持器８が一体回転するようになっている。そして、入力軸１はモータ等の駆動源（図示省略）から入力トルクを加えられ、出力軸２は外周に二面幅が形成された係合部２ｂに取り付けられる出力歯車等の回転伝達部材（図示省略）にトルクを出力するようになっている。
【００２１】
前記外輪５の内周は円筒面となっており、内輪３の外周にはカム面３ｂが周方向に複数設けられ、外輪５の内周円筒面と内輪３の各カム面３ｂとの間に周方向両側で次第に狭小となる楔形空間１２が形成されている。そして、これらの各楔形空間１２には前記ころ９が一対ずつ組み込まれ、前記板ばね１０がその一対のころ９に挟まれるように組み込まれて各ころ９を楔形空間１２の狭小部へ押し込んでいる。これにより、出力側部材４に加えられる逆入力トルクに対して出力側部材４と固定部材の一部である外輪５とをロックするロック手段が構成されている。
【００２２】
また、前記各楔形空間１２の周方向両側（ころ９を挟んで板ばね１０と周方向で対向する位置）には、前記保持器８の柱部８ａが挿入されている。これにより、入力軸１に入力トルクが加えられたときに、保持器８が入力軸１と一体に回転して、保持器８の柱部８ａが一対のころ９のうちの回転方向後側のころ９を楔形空間１２の広大部へ押し出して、前記ロック手段によるロック状態を解除するようになっている。すなわち、この保持器８が入力軸１に加えられる入力トルクに対してロック状態を解除するロック解除手段となっている。
【００２３】
前記板ばね１０は、図２および図３に示すように、金属片を複数回折り曲げて形成したもので、圧縮状態で前記一対のころ９の間に組み込まれて両端部で各ころ９を押圧している。そして、その両端部は、先端側部分が伸縮方向の外側へ折り曲げられて、ころ９のカム面３ｂに臨む側の半円筒面と係合する内側係合部１０ａとなっており、中央側部分が伸縮方向の外側へ張り出すように湾曲して、ころ９のカム面３ｂに臨む側と反対側（外輪５の内周円筒面に臨む側）の半円筒面と係合する外側係合部１０ｂとなっている。これにより、板ばね１０はクラッチ径方向の外側および内側への移動を規制されている。
【００２４】
この逆入力防止クラッチは、上記の構成であり、各ころ９が板ばね１０の弾力で楔形空間１２の狭小部に押し込まれているので、出力軸２に逆入力トルクが加えられても、回転方向後側のころ９が固定部材の一部である外輪５および出力側部材４の一部である内輪３に係合することにより出力側部材４がロックされ、入力軸１へ回転伝達しない。
【００２５】
一方、入力軸１に入力トルクが加えられたときには、まず、図４（ａ）に示すように、入力軸１と一体に回転する保持器８の柱部８ａが、回転方向後側のころ９を板ばね１０の弾力に抗して楔形空間１２の広大部へ押し出すことにより、そのころ９と外輪５および内輪３との係合が解除されて、出力側部材４がロック状態から解放される。そして、図４（ｂ）に示すように、入力軸１がさらに回転して、その係合部１ａと内輪３の係合穴３ａとが係合すると、入力軸１の回転が内輪３を介して出力軸２に伝達されるようになる（このとき、回転方向前側のころ９は楔形空間１２の広大部に相対移動するので、外輪５および内輪３と係合することはない）。
【００２６】
上記のように入力側から出力側へ回転が伝達されているときには、内輪３の回転にともなってころ９や板ばね１０も回転し、ころ９や板ばね１０に遠心力が作用するが、板ばね１０はその内側係合部１０ａでころ９と係合してクラッチ径方向の外側への移動を規制されるので、出力側部材４に伝達される回転が高速になって板ばね１０に作用する遠心力が大きくなっても、板ばね１０が外輪５の内周円筒面に接触して折損等の不具合を生じることがない。また、板ばね１０が外輪５に接触しないので、回転トルクの増大を防ぐこともできる。
【００２７】
さらに、入力軸１への入力トルクの供給が開始された直後や停止された直後には、出力側部材４が回転していない状態で板ばね１０がロック状態とロック解除状態との間で伸縮するが、板ばね１０は外側係合部１０ｂでころ９と係合してクラッチ径方向の内側への移動を規制されているので、内輪３に対して摺動して損傷するおそれもない。
【００２８】
ここで、上述した図１乃至図４の例では、板ばね１０をその両端部の先端が内輪３のカム面３ｂに向くように組み込んでいるが、これと逆に、図５に示すように、板ばね１０をその両端部の先端が外輪５の内周円筒面に向くように組み込んでもよい。その場合は、板ばね１０の両端部の先端側部分が外側係合部１０ｂ’、中央側部分が内側係合部１０ａ’となって、図１乃至図４の例と同様の効果を得ることができる。
【００２９】
また、図６は図１乃至図４の例の板ばね１０に代わる弾性部材としてコイルばね１３を用いた変形例を示す。この変形例では、コイルばね１３の両端部を伸縮方向外側に向かって凹状に折り曲げることにより、板ばね１０のものと同様の作用をする内側係合部１３ａおよび外側係合部１３ｂを形成して、板ばね１０を用いた場合と同様の効果が得られるようにしている。
【００３０】
なお、上述した実施形態では、ころ９を楔形空間１２の狭小部へ押し込む弾性部材として板ばね１０またはコイルばね１３を用いたが、弾性部材の種類および形状は実施形態のものに限らず、ころのクラッチ径方向の移動を規制できるようになっていればよい。
【００３１】
また、実施形態では、両端部に内側係合部と外側係合部の両方を有する弾性部材を用いたが、両端部に内側係合部のみを有する弾性部材を用いることもできる。
【符号の説明】
【００３２】
１  入力軸（入力側部材）
１ａ  係合部
２  出力軸
３  内輪
３ａ  係合穴
３ｂ  カム面
４  出力側部材
５  外輪
６  ハウジング（固定部材）
７  押え蓋
８  保持器
８ａ  柱部
９  ころ
１０  板ばね（弾性部材）
１０ａ、１０ａ’  内側係合部
１０ｂ、１０ｂ’  外側係合部
１２  楔形空間
１３  コイルばね（弾性部材）
１３ａ  内側係合部
１３ｂ  外側係合部
【図１】
2017141859.tif 000003
【図２】
2017141859.tif 000004
【図３】
2017141859.tif 000005
【図４】
2017141859.tif 000006
【図５】
2017141859.tif 000007
【図６】
2017141859.tif 000008